(57)【要約】【課題】暖房用熱動弁付ヘッダに回路番号を識別する記号を付す作業の簡略化を図る。【解決手段】一端側に上方向に立ち上がる集合管３６ａと、他端側の略水平方向に順次に設けられた複数の熱動弁３６ｂとを有し、各熱動弁３６ｂの下方にそれぞれ暖房用接続口３６ｃが設けられた構成の暖房用熱動弁付ヘッダ３６を、外部配管と接続される接続口が集中して設けられた配管接続板８上に設けた給湯暖房装置において、暖房用熱動弁付ヘッダ３６の少なくとも上面３８ａおよび前面３８ｂを、一端側に集合管３６ａと係合する切り欠き穴３８ｄ、３８ｅを有した透明樹脂製の防滴カバー３８で覆い、防滴カバー３８の前面３８ｂの各熱動弁３６ｂに対応する位置に各熱動弁３６ｂの回路番号を識別する記号３８ｆを記した。【選択図】図３
2014006002.tif 000002
【特許請求の範囲】
【請求項１】
一端側に上方向に立ち上がる集合管と、他端側の略水平方向に順次に設けられた複数の熱動弁とを有し、該各熱動弁の下方にそれぞれ暖房用接続口が設けられた構成の暖房用熱動弁付ヘッダを、外部配管と接続される接続口が集中して設けられた配管接続板上に設けた給湯暖房装置において、前記暖房用熱動弁付ヘッダの少なくとも上面および前面を、一端側に前記集合管と係合する切り欠き穴を有した透明樹脂製の防滴カバーで覆い、該防滴カバーの前面の前記各熱動弁に対応する位置に前記各熱動弁の回路番号を識別する記号を記したことを特徴とする給湯暖房装置。
【請求項２】
前記防滴カバーの該当位置に回路番号を識別する記号が表示されたシールを貼着したことを特徴とする請求項１記載の給湯暖房装置。
【発明の詳細な説明】
【技術分野】
【０００１】
本発明は、暖房用熱動弁付ヘッダを備えた給湯暖房装置に関するものである。
【背景技術】
【０００２】
従来よりこの種の給湯暖房装置においては、特許文献に示すように暖房用熱動弁付ヘッダを内蔵した給湯暖房装置が知られていた。
【先行技術文献】
【特許文献】
【０００３】
【特許文献１】特開２００７−８５６６５号公報
【特許文献２】特開２００４−１７７０２９号公報
【発明の概要】
【発明が解決しようとする課題】
【０００４】
ところが、この従来のものでは、暖房用熱動弁付ヘッダに各熱動弁の回路番号を識別する記号が記されたシールを直接貼り付けるようにしていたが、複雑な形状の暖房用熱動弁付ヘッダにシールを貼着するのは手間が掛かり、また、熱動弁の不調に伴って一部の熱動弁のみを新品に交換するようなメンテナンス時には、改めて交換した熱動弁に回路番号を識別する記号がシールを貼り付ける必要もあり、メンテナンス性も劣るものであった。
【課題を解決するための手段】
【０００５】
本発明は上記課題を解決するため、一端側に上方向に立ち上がる集合管と、他端側の略水平方向に順次に設けられた複数の熱動弁とを有し、該各熱動弁の下方にそれぞれ暖房用接続口が設けられた構成の暖房用熱動弁付ヘッダを、外部配管と接続される接続口が集中して設けられた配管接続板上に設けた給湯暖房装置において、前記暖房用熱動弁付ヘッダの少なくとも上面および前面を、一端側に前記集合管と係合する切り欠き穴を有した透明樹脂製の防滴カバーで覆い、該防滴カバーの前面の前記各熱動弁に対応する位置に前記各熱動弁の回路番号を識別する記号を記したものとした。
【０００６】
また、前記防滴カバーの該当位置に回路番号を識別する記号が表示されたシールを貼着した。
【発明の効果】
【０００７】
本発明に寄れば、切り欠き穴と集合管との係合により、防滴カバーと暖房用熱動弁付ヘッダとの相対位置が規制され、各熱動弁の回路番号の位置と各熱動弁の位置とを容易に整合させることができ、各熱動弁に接続された暖房用配管の回路番号を容易に識別することができると共に、熱動弁の交換等のメンテナンス時にも、それまで使用していた防滴カバーを取り付けるだけで良いので、メンテナンス性を向上することができる。
【図面の簡単な説明】
【０００８】
【図１】本発明の一実施形態の給湯暖房装置の概略構成図
【図２】同一実施形態の一部を省略した回路図
【図３】同一実施形態の要部拡大正面図
【図４】同一実施形態の防滴カバーの斜視図
【発明を実施するための形態】
【０００９】
次に、本発明を図面に示した一実施形態の給湯暖房装置に基づいて説明する。
１は高温水を貯湯する貯湯タンク２を備えたタンクユニット、３は貯湯タンク２内の湯水を大気の熱を汲み上げて加熱するヒートポンプユニット、４は給湯栓、５は浴槽、６は貯湯タンク２内の湯水を熱源とした温水が循環されて暖房を行う温水暖房端末である。ここでは温水暖房端末６を一つしか示していないが、複数の温水暖房端末６がタンクユニット１に接続されている。
【００１０】
タンクユニット１は、前面を開放して天面、背面、両側面、底面を覆う外装体７、タンクユニット１内の配管とこれらに対応した外部配管とを接続する接続口が集中して設けられ、かつ外装体７の最低面から少し高い位置に前面側に突出するように設けられる配管接続板８、外装体７の開放された前面を着脱容易に覆う前パネル９、タンクユニット１を支える支持脚１０を有して構成されているものである。
【００１１】
次に、タンクユニット１について図２の回路図に基づいて説明する。
１１は貯湯タンク２底部に給水する給水管、１２は貯湯タンク２上部から出湯する出湯管、１３は給水管１１から分岐された給水バイパス管、１４は出湯管１２からの湯と給水バイパス管１３からの水を所望の給湯設定温度に混合する給湯混合弁、１５は給湯混合弁１４からの湯水を給湯栓４に供給するための給湯管、１６は給湯管１５を流れる湯水の量を検出する給湯流量センサ、１７は給湯管１５を流れる湯水の温度を検出する給湯温度センサである。
【００１２】
１８は貯湯タンク２内の湯水を熱源として浴槽５内の湯水を加熱するための風呂熱交換器、１９は浴槽５と風呂熱交換器１８とを湯水が循環可能に接続する風呂循環回路、２０は風呂循環回路１９途中に設けられた風呂循環ポンプ、２１は浴槽水の温度を検出する風呂温度センサ、２２は浴槽５内の水位を検出するための圧力センサである。
【００１３】
２３は給湯管１５から分岐されて風呂循環回路１９に接続された湯はり管、２４は湯はり管２３の流路を開閉する湯はり電磁弁、２５は湯はり管２３を流れる湯水の量を検出する湯はり流量センサ、２６は湯はり管２３を流れる湯水の温度を検出する湯はり温度センサである。
【００１４】
２７は貯湯タンク２底部とヒートポンプユニット３の入口を接続する加熱往き管、２８はヒートポンプユニット３の出口を貯湯タンク２上部を接続する加熱戻り管であり、ヒートポンプユニット３内に設けられた加熱循環ポンプ（図示せず）によって貯湯タンク２底部から取り出した水を加熱して貯湯タンク２上部へ戻すようにして貯湯タンク２内の湯水を沸き上げるようにしている。
【００１５】
２９は貯湯タンク２内の湯水を熱源として外部の非加熱水である暖房循環水を加熱するための暖房熱交換器、３０は貯湯タンク２上部と暖房熱交換器２９一次側の入口を接続する一次側往き管、３１は暖房熱交換器２９一次側の出口と貯湯タンク２中間部を接続する一次側戻り管、３２は貯湯タンク２内の湯水を暖房熱交換器２９の一次側に導いて循環させる非自給式の一次側循環ポンプである。
【００１６】
３３は複数の温水暖房端末６の出口側と暖房熱交換器２９二次側の入口を接続する二次側戻り管、３４は暖房熱交換器２９二次側の出口と複数の温水暖房端末６の入口を接続する二次側往き管、３５は暖房循環水を暖房熱交換器２９の二次側に導いて循環させる非自給式の二次側循環ポンプ、３６は二次側往き管３４と複数の温水暖房端末６との間に介在され、暖房循環水を複数の温水暖房端末６へ分岐させる暖房用熱動弁付ヘッダ、３７は二次側戻り管３３と複数の温水暖房端末６との間に介在され、複数の温水暖房端末６からの暖房循環水を合流させる戻りヘッダである。
【００１７】
暖房用熱動弁付ヘッダ３６は、図３に示すように、一端側に上方向に立ち上がる集合管３６ａ（ここでは二次側往き管３４）と、他端側の略水平方向に順次に設けられた複数の熱動弁３６ｂとを有し、該各熱動弁３６ｂの下方にそれぞれ暖房用接続口３６ｃが設けられた構成とし、配管接続板８上に暖房用接続口３６ｃが下方に貫通して設けられ、この暖房用熱動弁付ヘッダ３６の上面、前面、および背面を覆う防滴カバー３８で覆われ、施工時に雨水やこぼれた暖房循環水が暖房用熱動弁付ヘッダ３６に掛からないようにされているものである。
【００１８】
防滴カバー３８は、図４に示すように、上面部３８ａ、前面部３８ｂ、背面部３８ｃを構成するように一枚の透明樹脂製シートを上面部３８ａから前後に折り曲げた構成とし、上面部３８ａの集合管３６ａ側の一端には、集合管３６ａに係合する切り欠き穴として丸穴３６ｄと切り込み３６ｅとが設けられていると共に、前面部３８ｂには、暖房用熱動弁付ヘッダ３６の各熱動弁３６ｂに対応する位置に、各熱動弁３６ｂの回路番号を識別する記号３６ｆが表示されたシール３６ｇが貼着されている。
【００１９】
そして、丸穴３８ｄが集合管３６ａに係合するように防滴カバー３８が暖房用熱動弁付ヘッダ３６に装着されるだけで、防滴カバー３８と暖房用熱動弁付ヘッダ３６との相対位置が規制され、各熱動弁３６ｂの回路番号の位置と各熱動弁３６ｂの位置とを容易に整合させることができ、各熱動弁３６ｂに接続された暖房用配管の回路番号を容易に識別することができ、複雑な形状の暖房用熱動弁付ヘッダ３６にシールを貼着する手間がなくなり、回路番号を識別する記号３８ｆを付す作業の簡略化が図れると共に、熱動弁３６ｂの一部交換等のメンテナンス時にも、それまで使用していた防滴カバー３８を取り付けるだけで良いので、メンテナンス性を向上することができる。
【００２０】
なお、本発明は上記の一実施形態に限定されるものではなく、発明の趣旨を変更しない範囲で改変が可能なものであり、例えば、暖房用熱動弁付ヘッダ３６は往きヘッダとして作用する位置に設けているが、戻りヘッダとして作用する位置に設けた構成としてもよく、また、防滴カバー３８は透明樹脂製としたが、防滴カバー３８の内側に設けられた暖房用熱動弁付ヘッダ３６が視認できれば半透明樹脂製としてもよいものであり、さらに、防滴カバー３８に記した回路番号を識別する記号３６ｆは、防滴カバー３８の前面部３８ｂに直接印刷した構成としてもよいものである。
【符号の説明】
【００２１】
８  配管接続板
３６  暖房用熱動弁付ヘッダ
３６ａ  集合管
３６ｂ  熱動弁
３６ｃ  暖房用接続口
３８  防滴カバー
３８ａ  上面部
３８ｂ  前面部
３８ｄ  丸穴
３８ｅ  切り欠き
３８ｆ  記号
３８ｇ  シール
【図１】
2014006002.tif 000003
【図２】
2014006002.tif 000004
【図３】
2014006002.tif 000005
【図４】
2014006002.tif 000006